(57)【要約】【課題】小型でありながら、広角端での広い画角と高いズーミング比とを兼ね備えた高性能なズームレンズ系、撮像装置及びカメラを提供する。【解決手段】物体側から像側へと順に、正パワーの第１レンズ群と、負パワーの第２レンズ群と、正パワーの第３レンズ群と、正パワーの第４レンズ群とからなり、第１レンズ群、第２レンズ群が各々３枚のレンズ素子で構成され、撮像時の広角端から望遠端へのズーミングの際に、第１レンズ群、第２レンズ群、第３レンズ群及び第４レンズ群を、各レンズ群とレンズ群との間の空気間隔が変化するように光軸に沿ってそれぞれ移動させて変倍を行い、条件：０．６４≦ｆG4／ｆG1≦０．８２、ωW≧３７及びｆT／ｆW≧１０（ｆG1、ｆG4：第１、第４レンズ群の合成焦点距離、ωW：広角端での半画角、ｆT、ｆW：望遠端、広角端での全系の焦点距離）を満足するズームレンズ系、撮像装置及びカメラ。【選択図】図１
2010160334.tif 000002
【特許請求の範囲】
【請求項１】
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）を満足する、ズームレンズ系：
０．６４≦ｆG4／ｆG1≦０．８２  ・・・（９）
ωW≧３７  ・・・（ａ−２）
ｆT／ｆW≧１０  ・・・（ｂ）
ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である。
【請求項２】
以下の条件（１０）を満足する、請求項１に記載のズームレンズ系：
４．００≦ｍ2T／ｍ2W≦８．００  ・・・（１０）
ここで、
ｍ2T：望遠端かつ無限遠合焦状態における第２レンズ群の横倍率、
ｍ2W：広角端かつ無限遠合焦状態における第２レンズ群の横倍率
である。
【請求項３】
以下の条件（１１）を満足する、請求項１に記載のズームレンズ系：
１．００≦ＬT／ｆT≦２．００  ・・・（１１）
ここで、
ＬT：望遠端におけるレンズ全長（第１レンズ群の最物体側面から像面までの距離）、
ｆT：望遠端での全系の焦点距離
である。
【請求項４】
以下の条件（１２）を満足する、請求項１に記載のズームレンズ系：
１．００≦ｆT／ｆG1≦２．００  ・・・（１２）
ここで、
ｆG1：第１レンズ群の合成焦点距離、
ｆT：望遠端での全系の焦点距離
である。
【請求項５】
以下の条件（１３）を満足する、請求項１に記載のズームレンズ系：
１．００≦ＬW／ｆG1≦２．００  ・・・（１３）
ここで、
ＬW：広角端におけるレンズ全長（第１レンズ群の最物体側面から像面までの距離）、
ｆG1：第１レンズ群の合成焦点距離
である。
【請求項６】
以下の条件（１４）を満足する、請求項１に記載のズームレンズ系：
１．５０≦ＬT／ｆG1≦２．００  ・・・（１４）
ここで、
ＬT：望遠端におけるレンズ全長（第１レンズ群の最物体側面から像面までの距離）、
ｆG1：第１レンズ群の合成焦点距離
である。
【請求項７】
以下の条件（１５）を満足する、請求項１に記載のズームレンズ系：
４．５０≦ｆG1／｜ｆG2｜≦７．００  ・・・（１５）
ここで、
ｆG1：第１レンズ群の合成焦点距離、
ｆG2：第２レンズ群の合成焦点距離
である。
【請求項８】
第１レンズ群を構成する３枚のレンズ素子及び第２レンズ群を構成する３枚のレンズ素子のうち、第２レンズ群の中央に配置されたレンズ素子の物体側面のみが、負の曲率半径を有する、請求項１に記載のズームレンズ系。
【請求項９】
第３レンズ群が、２枚又は３枚のレンズ素子で構成される、請求項１に記載のズームレンズ系。
【請求項１０】
第３レンズ群が、最物体側に、正のパワーを有するレンズ素子を含む、請求項９に記載のズームレンズ系。
【請求項１１】
第３レンズ群が、像側が凹面で負のパワーを有するレンズ素子を少なくとも１枚含む、請求項９に記載のズームレンズ系。
【請求項１２】
第４レンズ群が、正のパワーを有するレンズ素子１枚からなる、請求項１に記載のズームレンズ系。
【請求項１３】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）：
０．６４≦ｆG4／ｆG1≦０．８２  ・・・（９）
ωW≧３７  ・・・（ａ−２）
ｆT／ｆW≧１０  ・・・（ｂ）
（ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である）
を満足するズームレンズ系である、撮像装置。
【請求項１４】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）：
０．６４≦ｆG4／ｆG1≦０．８２  ・・・（９）
ωW≧３７  ・・・（ａ−２）
ｆT／ｆW≧１０  ・・・（ｂ）
（ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である）
を満足するズームレンズ系である、カメラ。
【発明の詳細な説明】
【技術分野】
【０００１】
本発明は、ズームレンズ系、撮像装置及びカメラに関する。特に本発明は、小型でありながら、広角端での広い画角と高いズーミング比とを兼ね備えた高性能なズームレンズ系、該ズームレンズ系を含む撮像装置、及び該撮像装置を備えた薄型でコンパクトなカメラに関する。
【背景技術】
【０００２】
デジタルスチルカメラやデジタルビデオカメラ等の、光電変換を行う撮像素子を持つカメラ（以下、単にデジタルカメラという）に対するコンパクト化及び高性能化の要求は極めて強い。特に、１台のデジタルカメラで、広角域から高望遠域までの広い焦点距離範囲をカバーすることができる、ズーミング比が高いズームレンズ系を搭載したカメラが、その利便性から強く要望されている。一方、近年では、撮影範囲が広い広角域を持つズームレンズ系も求められている。
【０００３】
前記のごとくズーミング比が高いズームレンズ系として、従来より、物体側から像側へと順に、正のパワーを有する第１レンズ群と、負のパワーを有する第２レンズ群と、正のパワーを有する第３レンズ群と、正のパワーを有する第４レンズ群とが配置された、正負正正の４群構成を有するズームレンズが種々提案されている。
【０００４】
特許文献１は、前記正負正正の４群構成を有し、広角端から望遠端への変倍に際して、第１レンズ群及び第３レンズ群が広角端位置よりも望遠端位置の方が相対的に物体側に変位し、第２レンズ群が広角端位置よりも望遠端位置の方が相対的に像側に変位し、第４レンズ群が光軸に沿って移動し、全系、第１レンズ群の焦点距離の比、及び第２レンズ群の結像倍率を規定したズームレンズを開示している。
【０００５】
特許文献２は、前記正負正正の４群構成を有し、広角端から望遠端への変倍に際して、第１レンズ群が物体側へ単調に移動し、第２レンズ群が像側へ単調に移動し、第３レンズ群が望遠端よりも広角端において物体側に位置するように移動し、第４レンズ群が無限遠物点合焦時に広角端よりも望遠端において第３レンズ群との光軸上の空気間隔が大になるように移動し、第３、第４レンズ群の焦点距離の比、第３、第４レンズ群の空気間隔、及び第１〜第３レンズ群の合成焦点距離を規定したズームレンズを開示している。
【０００６】
特許文献３は、前記正負正正の４群構成を有し、広角端から望遠端への変倍に際して、各群の間隔を変化させ、第１レンズ群が広角端よりも望遠端で物体側に移動し、第１レンズ群の焦点距離、及び第２レンズ群の望遠端、広角端での横倍率を規定したズームレンズを開示している。
【０００７】
特許文献４は、前記正負正正の４群構成を有し、変倍時に少なくとも第１、第３レンズ群が移動し、広角端から望遠端への変倍に際して、第１レンズ群が物体側へ移動し、広角端から望遠端への変倍における第２レンズ群の相対的移動量、及び第１、第３レンズ群の焦点距離を規定したズームレンズを開示している。
【０００８】
特許文献５は、前記正負正正の４群構成を有し、広角端から望遠端への変倍において少なくとも第１レンズ群が移動し、第１レンズ群の焦点距離、及び第２レンズ群内の全レンズのｄ線に対する平均屈折率を規定したズームレンズを開示している。
【０００９】
特許文献６は、前記正負正正の４群構成を有し、広角端から望遠端への変倍に際して、第１レンズ群と第２レンズ群との間隔が増大し、第２レンズ群と第３レンズ群との間隔が減少し、第３レンズ群中の少なくとも１枚の正レンズについて、屈折率、アッベ数及び異常分散性を規定したズームレンズを開示している。
【特許文献１】特開平０７−００５３６１号公報
【特許文献２】特開平０７−０２０３８１号公報
【特許文献３】特開２００６−１３３６３２号公報
【特許文献４】特開２００７−００３５５４号公報
【特許文献５】特開２００７−０１０６９５号公報
【特許文献６】特開２００８−０２６８３７号公報
【発明の開示】
【発明が解決しようとする課題】
【００１０】
しかしながら、前記特許文献１〜６に開示のズームレンズはいずれも、薄型でコンパクトなデジタルカメラに適用し得る程度に小型化されたものであり、１０倍程度以上の高いズーミング比を有するものの、広角端での画角が不充分なため、近年の要求を満足し得るものではない。
【００１１】
本発明の目的は、小型でありながら、広角端での広い画角と高いズーミング比とを兼ね備えた高性能なズームレンズ系、該ズームレンズ系を含む撮像装置、及び該撮像装置を備えた薄型でコンパクトなカメラを提供することである。
【課題を解決するための手段】
【００１２】
上記目的の１つは、以下のズームレンズ系により達成される。すなわち本発明は、
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）：
０．６４≦ｆG4／ｆG1≦０．８２  ・・・（９）
ωW≧３７  ・・・（ａ−２）
ｆT／ｆW≧１０  ・・・（ｂ）
（ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である）
を満足する、ズームレンズ系
に関する。
【００１３】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）：
０．６４≦ｆG4／ｆG1≦０．８２  ・・・（９）
ωW≧３７  ・・・（ａ−２）
ｆT／ｆW≧１０  ・・・（ｂ）
（ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である）
を満足するズームレンズ系である、撮像装置
に関する。
【００１４】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
物体側から像側へと順に、正のパワーを有する第１レンズ群と、負のパワーを有する第２レンズ群と、正のパワーを有する第３レンズ群と、正のパワーを有する第４レンズ群とからなり、
前記第１レンズ群が、３枚のレンズ素子で構成され、
前記第２レンズ群が、３枚のレンズ素子で構成され、
撮像時の広角端から望遠端へのズーミングの際に、前記第１レンズ群、第２レンズ群、第３レンズ群及び第４レンズ群を、各レンズ群とレンズ群との間の空気間隔が変化するように光軸に沿ってそれぞれ移動させて変倍を行い、
以下の条件（９）、（ａ−２）及び（ｂ）：
０．６４≦ｆG4／ｆG1≦０．８２  ・・・（９）
ωW≧３７  ・・・（ａ−２）
ｆT／ｆW≧１０  ・・・（ｂ）
（ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である）
を満足するズームレンズ系である、カメラ
に関する。
【発明の効果】
【００１５】
本発明によれば、小型でありながら、広角端での広い画角と高いズーミング比とを兼ね備えた高性能なズームレンズ系、該ズームレンズ系を含む撮像装置、及び該撮像装置を備えた薄型でコンパクトなカメラを提供することができる。
【発明を実施するための最良の形態】
【００１６】
（実施の形態１〜６）
図１、４、７、９、１１及び１４は、各々実施の形態１〜６に係るズームレンズ系のレンズ配置図である。
【００１７】
図１、４、７、９、１１及び１４は、いずれも無限遠合焦状態にあるズームレンズ系を表している。各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた直線乃至曲線の矢印は、広角端から中間位置を経由して望遠端への、各レンズ群の動きを示す。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００１８】
各実施の形態に係るズームレンズ系は、物体側から像側へと順に、正のパワーを有する第１レンズ群Ｇ１と、負のパワーを有する第２レンズ群Ｇ２と、正のパワーを有する第３レンズ群Ｇ３と、正のパワーを有する第４レンズ群Ｇ４とを備え、ズーミングに際して、各レンズ群の間隔、すなわち、前記第１レンズ群Ｇ１と第２レンズ群Ｇ２との間隔、第２レンズ群Ｇ２と第３レンズ群Ｇ３との間隔、及び第３レンズ群Ｇ３と第４レンズ群Ｇ４との間隔がいずれも変化するように、各レンズ群が光軸に沿った方向にそれぞれ移動する。各実施の形態に係るズームレンズ系は、これら各レンズ群を所望のパワー配置にすることにより、高い光学性能を保持しつつ、レンズ系全体の小型化を可能にしている。
【００１９】
なお図１、４、７、９、１１及び１４において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第４レンズ群Ｇ４の最像側レンズ面との間）には、光学的ローパスフィルタや撮像素子のフェースプレート等と等価な平行平板Ｐが設けられている。
【００２０】
さらに図１、４、７、９、１１及び１４において、第３レンズ群Ｇ３の最物体側に開口絞りＡが設けられており、該開口絞りＡは、撮像時の広角端から望遠端へのズーミングの際に、第３レンズ群Ｇ３と一体的に光軸上を移動する。
【００２１】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２２】
実施の形態１に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００２３】
また実施の形態１に係るズームレンズ系において、第３レンズ群Ｇ３は、物体側から像側へと順に、物体側に凸面を向けた正メニスカス形状の第７レンズ素子Ｌ７と、物体側に凸面を向けた正メニスカス形状の第８レンズ素子Ｌ８と、物体側に凸面を向けた負メニスカス形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第８レンズ素子Ｌ８は、その物体側面が非球面である。
【００２４】
また実施の形態１に係るズームレンズ系において、第４レンズ群Ｇ４は、両凸形状の第１０レンズ素子Ｌ１０のみからなる。この第１０レンズ素子Ｌ１０は、その両面が非球面である。
【００２５】
なお、実施の形態１に係るズームレンズ系において、像面Ｓの物体側（像面Ｓと第１０レンズ素子Ｌ１０との間）には、平行平板Ｐが設けられている。
【００２６】
実施の形態１に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００２７】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００２８】
実施の形態２に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００２９】
また実施の形態２に係るズームレンズ系において、第３レンズ群Ｇ３は、物体側から像側へと順に、物体側に凸面を向けた正メニスカス形状の第７レンズ素子Ｌ７と、物体側に凸面を向けた正メニスカス形状の第８レンズ素子Ｌ８と、物体側に凸面を向けた負メニスカス形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第８レンズ素子Ｌ８は、その物体側面が非球面である。
【００３０】
また実施の形態２に係るズームレンズ系において、第４レンズ群Ｇ４は、両凸形状の第１０レンズ素子Ｌ１０のみからなる。この第１０レンズ素子Ｌ１０は、その両面が非球面である。
【００３１】
なお、実施の形態２に係るズームレンズ系において、像面Ｓの物体側（像面Ｓと第１０レンズ素子Ｌ１０との間）には、平行平板Ｐが設けられている。
【００３２】
実施の形態２に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００３３】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００３４】
実施の形態３に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００３５】
また実施の形態３に係るズームレンズ系において、第３レンズ群Ｇ３は、物体側から像側へと順に、両凸形状の第７レンズ素子Ｌ７と、物体側に凸面を向けた負メニスカス形状の第８レンズ素子Ｌ８と、物体側に凸面を向けた正メニスカス形状の第９レンズ素子Ｌ９とからなる。これらのうち、第７レンズ素子Ｌ７は、その両面が非球面である。
【００３６】
また実施の形態３に係るズームレンズ系において、第４レンズ群Ｇ４は、両凸形状の第１０レンズ素子Ｌ１０のみからなる。この第１０レンズ素子Ｌ１０は、その両面が非球面である。
【００３７】
なお、実施の形態３に係るズームレンズ系において、像面Ｓの物体側（像面Ｓと第１０レンズ素子Ｌ１０との間）には、平行平板Ｐが設けられている。
【００３８】
実施の形態３に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００３９】
図９に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４０】
実施の形態４に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００４１】
また実施の形態４に係るズームレンズ系において、第３レンズ群Ｇ３は、物体側から像側へと順に、両凸形状の第７レンズ素子Ｌ７と、物体側に凸面を向けた負メニスカス形状の第８レンズ素子Ｌ８とからなる。これらのうち、第７レンズ素子Ｌ７は、その両面が非球面である。
【００４２】
また実施の形態４に係るズームレンズ系において、第４レンズ群Ｇ４は、両凸形状の第９レンズ素子Ｌ９のみからなる。この第９レンズ素子Ｌ９は、その両面が非球面である。
【００４３】
なお、実施の形態４に係るズームレンズ系において、像面Ｓの物体側（像面Ｓと第９レンズ素子Ｌ９との間）には、平行平板Ｐが設けられている。
【００４４】
実施の形態４に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００４５】
図１１に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００４６】
実施の形態５に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００４７】
また実施の形態５に係るズームレンズ系において、第３レンズ群Ｇ３は、物体側から像側へと順に、両凸形状の第７レンズ素子Ｌ７と、像側に凸面を向けた負メニスカス形状の第８レンズ素子Ｌ８と、物体側に凸面を向けた負メニスカス形状の第９レンズ素子Ｌ９とからなる。これらのうち、第７レンズ素子Ｌ７と第８レンズ素子Ｌ８とは接合されており、後述する対応数値実施例における面データでは、これら第７レンズ素子Ｌ７と第８レンズ素子Ｌ８との間の接着剤層に面番号１５が付与されている。また、第７レンズ素子Ｌ７及び第９レンズ素子Ｌ９は、いずれもその物体側面が非球面である。
【００４８】
また実施の形態５に係るズームレンズ系において、第４レンズ群Ｇ４は、両凸形状の第１０レンズ素子Ｌ１０のみからなる。この第１０レンズ素子Ｌ１０は、その両面が非球面である。
【００４９】
なお、実施の形態５に係るズームレンズ系において、像面Ｓの物体側（像面Ｓと第１０レンズ素子Ｌ１０との間）には、平行平板Ｐが設けられている。
【００５０】
実施の形態５に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００５１】
図１４に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３とからなる。これらのうち、第１レンズ素子Ｌ１と第２レンズ素子Ｌ２とは接合されており、後述する対応数値実施例における面データでは、これら第１レンズ素子Ｌ１と第２レンズ素子Ｌ２との間の接着剤層に面番号２が付与されている。
【００５２】
実施の形態６に係るズームレンズ系において、第２レンズ群Ｇ２は、物体側から像側へと順に、物体側に凸面を向けた負メニスカス形状の第４レンズ素子Ｌ４と、両凹形状の第５レンズ素子Ｌ５と、物体側に凸面を向けた正メニスカス形状の第６レンズ素子Ｌ６とからなる。
【００５３】
また実施の形態６に係るズームレンズ系において、第３レンズ群Ｇ３は、物体側から像側へと順に、物体側に凸面を向けた正メニスカス形状の第７レンズ素子Ｌ７と、物体側に凸面を向けた正メニスカス形状の第８レンズ素子Ｌ８と、物体側に凸面を向けた負メニスカス形状の第９レンズ素子Ｌ９とからなる。これらのうち、第８レンズ素子Ｌ８と第９レンズ素子Ｌ９とは接合されており、後述する対応数値実施例における面データでは、これら第８レンズ素子Ｌ８と第９レンズ素子Ｌ９との間の接着剤層に面番号１７が付与されている。また、第８レンズ素子Ｌ８は、その物体側面が非球面である。
【００５４】
また実施の形態６に係るズームレンズ系において、第４レンズ群Ｇ４は、両凸形状の第１０レンズ素子Ｌ１０のみからなる。この第１０レンズ素子Ｌ１０は、その両面が非球面である。
【００５５】
なお、実施の形態６に係るズームレンズ系において、像面Ｓの物体側（像面Ｓと第１０レンズ素子Ｌ１０との間）には、平行平板Ｐが設けられている。
【００５６】
実施の形態６に係るズームレンズ系において、撮像時の広角端から望遠端へのズーミングの際に、第１レンズ群Ｇ１及び第３レンズ群Ｇ３は、物体側へ移動し、第２レンズ群Ｇ２は、像側へ移動し、第４レンズ群Ｇ４は、物体側に凸の軌跡を描いて像側へ移動する。すなわち、ズーミングに際して、第１レンズ群Ｇ１と第２レンズ群Ｇ２との間隔が増大し、第２レンズ群Ｇ２と第３レンズ群Ｇ３との間隔が減少し、第３レンズ群Ｇ３と第４レンズ群Ｇ４との間隔が増大するように、各レンズ群が光軸に沿ってそれぞれ移動する。
【００５７】
実施の形態１〜６に係るズームレンズ系では、第１レンズ群Ｇ１が３枚のレンズ素子、第２レンズ群Ｇ２が３枚のレンズ素子からなるので、レンズ全長が短いレンズ系となっている。
【００５８】
実施の形態１〜６に係るズームレンズ系では、第１レンズ群Ｇ１が、物体側から像側へと順に、物体側に凸面を向けた負メニスカスレンズ素子Ｌ１と、物体側に凸面を向けた正メニスカスレンズ素子Ｌ２と、物体側に凸面を向けた正メニスカスレンズ素子Ｌ３とで構成され、かつ、これらのうち負メニスカスレンズ素子Ｌ１と正メニスカスレンズ素子Ｌ２とが接合して接合レンズ素子を形成しているので、コンパクトなレンズ系となっている。またこのような構成により、色収差を良好に補正することができる。
【００５９】
実施の形態１〜６に係るズームレンズ系では、第１レンズ群Ｇ１を構成する３枚のレンズ素子及び第２レンズ群Ｇ２を構成する３枚のレンズ素子が、第２レンズ群Ｇ２の中央に配置された第５レンズ素子Ｌ５の物体側面を除いて正の曲率半径を有するため、コンパクトなレンズ系を保ちつつ、像面湾曲の補正が可能となっている。
【００６０】
実施の形態１〜６に係るズームレンズ系では、第３レンズ群Ｇ３が、像側が凹面で負のパワーを有するレンズ素子を少なくとも１枚含むため、球面収差、コマ収差、色収差を良好に補正することができる。
【００６１】
実施の形態１、２及び６に係るズームレンズ系では、第３レンズ群Ｇ３が、物体側から像側へと順に、正のパワーを有する第７レンズ素子Ｌ７と、物体側面が非球面で正のパワーを有する第８レンズ素子Ｌ８と、負のパワーを有する第９レンズ素子Ｌ９とで構成され、かつ、像側の正レンズ素子である第８レンズ素子Ｌ８と第９レンズ素子Ｌ９とが接合して接合レンズ素子を形成しているため、球面収差、コマ収差、色収差を特に良好に補正することができる。
【００６２】
実施の形態１〜６に係るズームレンズ系では、さらに第４レンズ群Ｇ４が１枚のレンズ素子からなり、該レンズ素子が正のパワーを有するので、レンズ全長が短いレンズ系となっており、かつ、無限遠物体から近距離物体へフォーカスを行う場合には、各図に示すように第４レンズ群Ｇ４を物体側に繰り出すことで迅速なフォーカスを容易にしている。また、第４レンズ群Ｇ４を構成する１枚のレンズ素子は、その両面が非球面であるので、広角端から望遠端における軸外の像面湾曲を良好に補正することができる。
【００６３】
また実施の形態１〜６に係るズームレンズ系では、撮像時の広角端から望遠端へのズーミングの際に、第１レンズ群Ｇ１、第２レンズ群Ｇ２、第３レンズ群Ｇ３及び第４レンズ群Ｇ４を光軸に沿ってそれぞれ移動させてズーミングを行うが、これら第１レンズ群Ｇ１、第２レンズ群Ｇ２、第３レンズ群Ｇ３及び第４レンズ群Ｇ４のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００６４】
全系の振動による像点移動を補正する際に、例えば第３レンズ群Ｇ３が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００６５】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００６６】
以下、例えば実施の形態１〜６に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００６７】
例えば実施の形態１〜６に係るズームレンズ系のように、物体側から像側へと順に、正のパワーを有する第１レンズ群と、負のパワーを有する第２レンズ群と、正のパワーを有する第３レンズ群と、正のパワーを有する第４レンズ群とを備え、第１レンズ群が３枚のレンズ素子で構成され、第２レンズ群が３枚のレンズ素子で構成されている（以下、このレンズ構成を、実施の形態の基本構成という）ズームレンズ系は、以下の条件（９）、（ａ−２）及び（ｂ）を満足する。
０．６４≦ｆG4／ｆG1≦０．８２  ・・・（９）
ωW≧３７  ・・・（ａ−２）
ｆT／ｆW≧１０  ・・・（ｂ）
ここで、
ｆG1：第１レンズ群の合成焦点距離、
ｆG4：第４レンズ群の合成焦点距離、
ωW：広角端での半画角（°）、
ｆT：望遠端での全系の焦点距離、
ｆW：広角端での全系の焦点距離
である。
【００６８】
前記条件（９）は、第１レンズ群と第４レンズ群との焦点距離の比を規定している。条件（９）の下限を下回ると、第１レンズ群の屈折力が強くなり、第１レンズ群で発生する像面湾曲を補正することが困難になる。逆に条件（９）の上限を上回ると、第４レンズ群の屈折力が強くなり、必要なレンズバックを確保することが困難となる。また、第１レンズ群の屈折力が弱くなると、広角化を保つためには、第１レンズ群の外径が大きくなり、コンパクト性を確保することが困難になる。
【００６９】
なお、さらに以下の条件（９）’及び（９）’’の少なくとも１つを満足することにより、前記効果をさらに奏功させることができる。
０．６８≦ｆG4／ｆG1  ・・・（９）’
ｆG4／ｆG1≦０．７２  ・・・（９）’’
【００７０】
例えば実施の形態１〜６に係るズームレンズ系のように、基本構成を有するズームレンズ系は、以下の条件（１０）を満足することが好ましい。
４．００≦ｍ2T／ｍ2W≦８．００  ・・・（１０）
ここで、
ｍ2T：望遠端かつ無限遠合焦状態における第２レンズ群の横倍率、
ｍ2W：広角端かつ無限遠合焦状態における第２レンズ群の横倍率
である。
【００７１】
前記条件（１０）は、第２レンズ群の倍率変化を規定し、実質的に第２レンズ群のズーミング時の変倍負担を最適化する条件である。条件（１０）の範囲を外れると、第２レンズ群の変倍負担が適正でなくなり、光学性能を維持したままズームレンズ系をコンパクトに構成することが困難になる恐れがある。
【００７２】
なお、さらに以下の条件（１０）’及び（１０）’’の少なくとも１つを満足することにより、前記効果をさらに奏功させることができる。
４．５０≦ｍ2T／ｍ2W  ・・・（１０）’
ｍ2T／ｍ2W≦６．００  ・・・（１０）’’
【００７３】
例えば実施の形態１〜６に係るズームレンズ系のように、基本構成を有するズームレンズ系は、以下の条件（１１）を満足することが好ましい。
１．００≦ＬT／ｆT≦２．００  ・・・（１１）
ここで、
ＬT：望遠端におけるレンズ全長（第１レンズ群の最物体側面から像面までの距離）、
ｆT：望遠端での全系の焦点距離
である。
【００７４】
前記条件（１１）は、望遠端におけるズームレンズ系のレンズ全長を規定している。条件（１１）の下限を下回ると、各レンズ群の屈折力が強くなるため、各レンズ群の諸収差が増大し、収差補正が困難になる恐れがある。逆に条件（１１）の上限を上回ると、各レンズ群の屈折力が弱くなるため、高変倍比を保つには、各レンズ群の移動量が大きくなり、コンパクト性を確保することが困難になる恐れがある。
【００７５】
なお、さらに以下の条件（１１）’及び（１１）’’の少なくとも１つを満足することにより、前記効果をさらに奏功させることができる。
１．１０≦ＬT／ｆT  ・・・（１１）’
ＬT／ｆT≦１．３７  ・・・（１１）’’
【００７６】
例えば実施の形態１〜６に係るズームレンズ系のように、基本構成を有するズームレンズ系は、以下の条件（１２）を満足することが好ましい。
１．００≦ｆT／ｆG1≦２．００  ・・・（１２）
ここで、
ｆG1：第１レンズ群の合成焦点距離、
ｆT：望遠端での全系の焦点距離
である。
【００７７】
前記条件（１２）は、第１レンズ群の適切な焦点距離を規定している。条件（１２）の下限を下回ると、第１レンズ群の屈折力が弱くなるため、高変倍比を保つには、第２レンズ群の移動量が大きくなり、コンパクト性を確保することが困難になる恐れがある。逆に条件（１２）の上限を上回ると、第１レンズ群の屈折率が強くなるため、諸収差の発生量が大きくなり、特に望遠端において軸上色収差の補正が困難になる恐れがある。
【００７８】
なお、さらに以下の条件（１２）’及び（１２）’’の少なくとも１つを満足することにより、前記効果をさらに奏功させることができる。
１．４０≦ｆT／ｆG1  ・・・（１２）’
ｆT／ｆG1≦１．７０  ・・・（１２）’’
【００７９】
例えば実施の形態１〜６に係るズームレンズ系のように、基本構成を有するズームレンズ系は、以下の条件（１３）を満足することが好ましい。
１．００≦ＬW／ｆG1≦２．００  ・・・（１３）
ここで、
ＬW：広角端におけるレンズ全長（第１レンズ群の最物体側面から像面までの距離）、
ｆG1：第１レンズ群の合成焦点距離
である。
【００８０】
前記条件（１３）は、広角端におけるズームレンズ系のレンズ全長と第１レンズ群の焦点距離との比を規定している。条件（１３）の下限を下回ると、第１レンズ群の屈折力が弱くなるため、第２レンズ群の屈折力が弱くなり、第２レンズ群の移動量が大きくなる。その結果、相対的に広角端での第１レンズ群の位置が物体側に配置されることとなり、広角化を保つには、第１レンズ群の外径が大きくなり、コンパクト性を確保することが困難になる恐れがある。逆に条件（１３）の上限を上回ると、第１レンズ群の屈折率が強くなるため、特に広角端においては像面湾曲の補正が困難になる恐れがある。
【００８１】
なお、さらに以下の条件（１３）’及び（１３）’’の少なくとも１つを満足することにより、前記効果をさらに奏功させることができる。
１．３０≦ＬW／ｆG1  ・・・（１３）’
ＬW／ｆG1≦１．５０  ・・・（１３）’’
【００８２】
例えば実施の形態１〜６に係るズームレンズ系のように、基本構成を有するズームレンズ系は、以下の条件（１４）を満足することが好ましい。
１．５０≦ＬT／ｆG1≦２．００  ・・・（１４）
ここで、
ＬT：望遠端におけるレンズ全長（第１レンズ群の最物体側面から像面までの距離）、
ｆG1：第１レンズ群の合成焦点距離
である。
【００８３】
前記条件（１４）は、望遠端におけるズームレンズ系のレンズ全長と第１レンズ群の焦点距離との比を規定している。条件（１４）の下限を下回ると、第１レンズ群の屈折力が弱くなるため、高変倍比を保つには、第２レンズ群の移動量が大きくなり、コンパクト性を確保することが困難になる恐れがある。逆に条件（１４）の上限を上回ると、第１レンズ群の屈折率が強くなるため、諸収差の発生量が大きくなり、特に望遠端において軸上色収差の補正が困難になる恐れがある。
【００８４】
なお、さらに以下の条件（１４）’及び（１４）’’の少なくとも１つを満足することにより、前記効果をさらに奏功させることができる。
１．６０≦ＬT／ｆG1  ・・・（１４）’
ＬT／ｆG1≦１．８０  ・・・（１４）’’
【００８５】
例えば実施の形態１〜６に係るズームレンズ系のように、基本構成を有するズームレンズ系は、以下の条件（１５）を満足することが好ましい。
４．５０≦ｆG1／｜ｆG2｜≦７．００  ・・・（１５）
ここで、
ｆG1：第１レンズ群の合成焦点距離、
ｆG2：第２レンズ群の合成焦点距離
である。
【００８６】
前記条件（１５）は、第１レンズ群と第２レンズ群との焦点距離の比を規定している。条件（１５）の下限を下回ると、第１レンズ群の焦点距離が相対的に小さくなり過ぎて第２レンズ群の変倍作用を維持することが困難になり、光学性能を維持したままで１０倍以上のズーム比を持つズームレンズ系を構成することが困難になる恐れがある。逆に条件（１５）の上限を上回ると、第２レンズ群の焦点距離が相対的に小さくなり過ぎ、第２レンズ群で発生する収差を補正することが困難になる恐れがある。
【００８７】
なお、さらに以下の条件（１５）’及び（１５）’’の少なくとも１つを満足することにより、前記効果をさらに奏功させることができる。
５．００≦ｆG1／｜ｆG2｜  ・・・（１５）’
ｆG1／｜ｆG2｜≦６．００  ・・・（１５）’’
【００８８】
実施の形態１〜６に係るズームレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、好ましい。
【００８９】
さらに各実施の形態では、像面Ｓの物体側（像面Ｓと第４レンズ群Ｇ４の最像側レンズ面との間）には、光学的ローパスフィルタや撮像素子のフェースプレート等と等価な平行平板Ｐを配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【００９０】
（実施の形態７）
図１７は、実施の形態７に係るデジタルスチルカメラの概略構成図である。図１７において、デジタルスチルカメラは、ズームレンズ系１とＣＣＤである撮像素子２とを含む撮像装置と、液晶モニタ３と、筐体４とから構成される。ズームレンズ系１として、実施の形態６に係るズームレンズ系が用いられている。図１７において、ズームレンズ系１は、第１レンズ群Ｇ１と、第２レンズ群Ｇ２と、開口絞りＡと、第３レンズ群Ｇ３と、第４レンズ群Ｇ４とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【００９１】
鏡筒は、主鏡筒５と、移動鏡筒６と、円筒カム７とで構成されている。円筒カム７を回転させると、第１レンズ群Ｇ１、第２レンズ群Ｇ２、開口絞りＡと第３レンズ群Ｇ３及び第４レンズ群Ｇ４が撮像素子２を基準にした所定の位置に移動し、広角端から望遠端までのズーミングを行うことができる。第４レンズ群Ｇ４はフォーカス調整用モータにより光軸方向に移動可能である。
【００９２】
こうして、デジタルスチルカメラに実施の形態６に係るズームレンズ系を用いることにより、解像度及び像面湾曲を補正する能力が高く、非使用時のレンズ全長が短い小型のデジタルスチルカメラを提供することができる。なお、図１７に示したデジタルスチルカメラには、実施の形態６に係るズームレンズ系の替わりに実施の形態１〜５に係るズームレンズ系のいずれかを用いてもよい。また、図１７に示したデジタルスチルカメラの光学系は、動画像を対象とするデジタルビデオカメラに用いることもできる。この場合、静止画像だけでなく、解像度の高い動画像を撮影することができる。
【００９３】
なお、本実施の形態７に係るデジタルスチルカメラでは、ズームレンズ系１として実施の形態１〜６に係るズームレンズ系を示したが、これらのズームレンズ系は、全てのズーミング域を使用する必要はない。すなわち、所望のズーミング域に応じて、光学性能が確保されている範囲を切り出し、実施の形態１〜６で説明したズームレンズ系よりも低倍率のズームレンズ系として使用してもよい。
【００９４】
さらに、実施の形態７では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態７において、第２レンズ群Ｇ２全体、第３レンズ群Ｇ３全体、第２レンズ群Ｇ２あるいは第３レンズ群Ｇ３の一部等のズームレンズ系を構成している一部のレンズ群を、沈胴時に光軸上から退避させる、いわゆるスライディング鏡筒にズームレンズ系を適用してもよい。
【００９５】
また、以上説明した実施の形態１〜６に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【００９６】
以下、実施の形態１〜６に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2010160334.tif 000003
ここで、κは円錐定数、Ａ４、Ａ６、Ａ８、Ａ１０、Ａ１２、Ａ１４及びＡ１６は、それぞれ４次、６次、８次、１０次、１２次、１４次及び１６次の非球面係数である。
【００９７】
図２、５、８、１０、１２及び１５は、各々実施の形態１〜６に係るズームレンズ系の縦収差図である。
【００９８】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９９】
また図３、６、１３及び１６は、各々実施の形態１、２、５及び６に係るズームレンズ系の望遠端における横収差図である。
【０１００】
各横収差図において、上段３つの収差図は、望遠端における像ぶれ補正を行っていない基本状態、下段３つの収差図は、第３レンズ群Ｇ３全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１０１】
なお、各実施例のズームレンズ系について、望遠端における、像ぶれ補正状態での第３レンズ群Ｇ３の光軸と垂直な方向への移動量は、以下に示すとおりである。
実施例１  ０．１３５ｍｍ
実施例２  ０．１３９ｍｍ
実施例５  ０．１３５ｍｍ
実施例６  ０．１３５ｍｍ
【０１０２】
撮影距離が∞で望遠端において、ズームレンズ系が０．３°だけ傾いた場合の像偏心量は、第３レンズ群Ｇ３全体が光軸と垂直な方向に上記の各値だけ平行移動するときの像偏心量に等しい。
【０１０３】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、０．３°までの像ぶれ補正角に対して、結像特性を低下させることなく充分な像ぶれ補正を行うことが可能である。
【０１０４】
（数値実施例１）
数値実施例１のズームレンズ系は、図１に示した実施の形態１に対応する。数値実施例１のズームレンズ系の面データを表１に、非球面データを表２に、各種データを表３に示す。
【０１０５】
表  １（面データ）
面番号         r           d           nd         vd
物面             ∞
1         28.99500     0.75000     1.84666    23.8 
2         19.06100     0.01000     1.56732    42.8 
3         19.06100     2.84700     1.49700    81.6 
4        106.49800     0.15000 
5         19.93700     2.17900     1.72916    54.7 
6         66.38300        可変
7         46.75800     0.40000     1.88300    40.8 
8          5.20400     2.92000 
9        -27.85600     0.40000     1.78590    43.9 
10         12.36700     0.47500 
11         10.23200     1.34100     1.94595    18.0 
12         48.88200        可変
13(絞り)           ∞     0.30000
14          4.29700     1.76700     1.49700    81.6 
15       8241.75900     1.15600 
16*         8.40200     1.39900     1.80359    40.8 
17         50.50600     0.01000     1.56732    42.8 
18         50.50600     0.40000     1.84666    23.8 
19          5.31000        可変
20*        11.71400     1.57800     1.51788    70.1 
21*     -1903.05100        可変
22               ∞     0.78000     1.51680    64.2
23               ∞        (BF)
像面             ∞
【０１０６】
表  ２（非球面データ）
第16面
K=-2.28822E-01, A4=-1.79052E-03, A6=-2.03953E-04, A8= 6.65739E-05
A10=-2.75026E-05, A12= 5.38981E-06, A14=-5.53822E-07, A16= 2.31265E-08 
第20面
K= 0.00000E+00, A4=-7.84816E-04, A6= 6.11566E-05, A8=-8.70671E-06
A10= 2.07853E-07, A12= 1.30642E-08, A14=-4.95350E-10, A16= 9.73908E-14 
第21面
K= 0.00000E+00, A4=-9.08686E-04, A6= 7.99050E-05, A8=-1.33973E-05
A10= 7.26054E-07, A12=-1.80771E-08, A14= 3.95939E-10, A16=-6.83275E-12
【０１０７】
表  ３（各種データ）
ズーム比    11.03046
広角      中間      望遠
焦点距離       4.3007   13.8388   47.4383
Ｆナンバー     3.27846   4.28177   5.08881
画角        42.8104   14.6240    4.2606
像高         3.5000    3.6000    3.6000
レンズ全長     43.0950   45.9352   54.8315
ＢＦ        0.87558   0.86948   0.86672
d6           0.3050    8.7502   18.1095 
d12         15.2180    4.9127    1.2400 
d19          4.1289    3.9787   12.8898 
d21          3.7055    8.5621    2.8635 
入射瞳位置     11.6301   31.3439  103.4648
射出瞳位置    -14.9503  -19.5021  -54.6732
前側主点位置   14.7621   35.7817  110.3846
後側主点位置   38.7943   32.0963    7.3932
単レンズデータ
レンズ     始面     焦点距離
1         1      -68.0664
2         3       46.2134
3         5       38.3211
4         7       -6.6617
5         9      -10.8504
6        11       13.4533
7        14        8.6498
8        16       12.3591
9        18       -7.0371
10        20       22.4871
ズームレンズ群データ
群   始面    焦点距離  レンズ構成長    前側主点位置  後側主点位置
1      1    31.38739     5.93600         1.01427       3.21201
2      7    -5.93817     5.53600         0.35694       1.34712
3     13    10.09342     5.03200        -2.42725       0.43524
4     20    22.48708     1.57800         0.00636       0.54446
ズームレンズ群倍率
群   始面    広角       中間       望遠
1      1    0.00000    0.00000    0.00000
2      7   -0.26914   -0.43605   -1.39433
3     13   -0.69983   -1.97584   -1.41639
4     20    0.72745    0.51175    0.76529
【０１０８】
（数値実施例２）
数値実施例２のズームレンズ系は、図４に示した実施の形態２に対応する。数値実施例２のズームレンズ系の面データを表４に、非球面データを表５に、各種データを表６に示す。
【０１０９】
表  ４（面データ）
面番号         r           d           nd         vd
物面             ∞
1         30.04800     0.75000     1.84666    23.8 
2         19.79100     0.01000     1.56732    42.8 
3         19.79100     2.87000     1.49700    81.6 
4        110.53100     0.15000 
5         20.53300     2.17200     1.72916    54.7 
6         66.95400        可変
7         42.41000     0.40000     1.88300    40.8 
8          5.23200     2.92000 
9        -26.60600     0.40000     1.72916    54.7 
10         11.77400     0.41400 
11          9.85000     1.52500     1.92286    20.9 
12         49.89900        可変
13(絞り)           ∞     0.30000
14          4.34100     1.71500     1.49700    81.6 
15       8241.75900     1.15600 
16*         8.13300     1.39900     1.80359    40.8 
17         29.64300     0.01000     1.56732    42.8 
18         29.64300     0.40000     1.84666    23.8 
19          5.13200        可変
20*        11.58600     1.57800     1.51835    70.3 
21*     -1903.05100        可変
22               ∞     0.78000     1.51680    64.2
23               ∞        (BF)
像面             ∞
【０１１０】
表  ５（非球面データ）
第16面
K= 1.78419E-01, A4=-1.74423E-03, A6=-2.43524E-04, A8= 8.84289E-05
A10=-3.13851E-05, A12= 5.33759E-06, A14=-4.60617E-07, A16= 1.56777E-08 
第20面
K= 0.00000E+00, A4=-7.66562E-04, A6= 7.82061E-05, A8=-9.47410E-06
A10= 1.69202E-07, A12= 1.30492E-08, A14=-4.30772E-10, A16= 0.00000E+00 
第21面
K= 0.00000E+00, A4=-8.32096E-04, A6= 9.10521E-05, A8=-1.41343E-05
A10= 7.49749E-07, A12=-2.21508E-08, A14= 4.12406E-10, A16= 0.00000E+00
【０１１１】
表  ６（各種データ）
ズーム比    11.01481
広角      中間      望遠
焦点距離       4.3066   13.8459   47.4361
Ｆナンバー     3.30024   4.29885   5.09193
画角        42.3363   14.5427    4.2584
像高         3.4800    3.6000    3.6000
レンズ全長     43.5229   45.7546   55.0476
ＢＦ        0.87881   0.87324   0.87433
d6           0.3224    8.9809   18.8488 
d12         15.7053    4.8375    1.0000 
d19          3.7902    3.4857   12.4922 
d21          3.8772    8.6283    2.8833 
入射瞳位置     11.8589   31.5019  104.5924
射出瞳位置    -14.4027  -18.5649  -51.5094
前側主点位置   14.9518   35.4853  109.0727
後側主点位置   39.2163   31.9088    7.6115
単レンズデータ
レンズ     始面     焦点距離
1         1      -70.8535
2         3       48.0023
3         5       39.8296
4         7       -6.7934
5         9      -11.1448
6        11       13.0598
7        14        8.7385
8        16       13.5548
9        18       -7.3858
10        20       22.2227
ズームレンズ群データ
群   始面    焦点距離  レンズ構成長    前側主点位置  後側主点位置
1      1    32.54769     5.95200         1.00942       3.21326
2      7    -6.24827     5.65900         0.31566       1.37601
3     13    10.26521     4.98000        -2.52584       0.35485
4     20    22.22269     1.57800         0.00629       0.54471
ズームレンズ群倍率
群   始面    広角       中間       望遠
1      1    0.00000    0.00000    0.00000
2      7   -0.27258   -0.43804   -1.42128
3     13   -0.67763   -1.93147   -1.34700
4     20    0.71635    0.50280    0.76127
【０１１２】
（数値実施例３）
数値実施例３のズームレンズ系は、図７に示した実施の形態３に対応する。数値実施例３のズームレンズ系の面データを表７に、非球面データを表８に、各種データを表９に示す。
【０１１３】
表  ７（面データ）
面番号         r           d           nd         vd
物面             ∞
1         28.83400     0.75000     1.84666    23.8 
2         19.10600     0.01000     1.56732    42.8 
3         19.10600     2.85000     1.49700    81.6 
4        101.86400     0.15000 
5         20.12000     2.17900     1.72916    54.7 
6         67.88000        可変
7         48.57300     0.40000     1.88300    40.8 
8          5.25800     2.88300 
9        -30.09700     0.40000     1.78590    43.9 
10         11.97200     0.46400 
11         10.02000     1.38900     1.94595    18.0 
12         45.19300        可変
13(絞り)           ∞     0.30000
14*         4.07200     1.85400     1.51835    70.3 
15*       -14.78000     1.10600 
16         10.46100     0.40000     1.80518    25.5 
17          3.45300     0.45000 
18          4.62900     1.00100     1.60342    38.0 
19          7.26800        可変
20*        12.44300     1.57700     1.51835    70.3 
21*      -178.17400        可変
22               ∞     0.78000     1.51680    64.2
23               ∞        (BF)
像面             ∞
【０１１４】
表  ８（非球面データ）
第14面
K= 0.00000E+00, A4=-8.24968E-04, A6=-1.09073E-06, A8= 2.17711E-05
A10=-5.02279E-06, A12= 2.35314E-07, A14= 1.63202E-07, A16=-1.54658E-08 
第15面
K= 0.00000E+00, A4= 1.49679E-03, A6= 1.31240E-04, A8= 1.46070E-06
A10=-1.18079E-06, A12=-9.13721E-08, A14= 2.62896E-07, A16=-2.45633E-08 
第20面
K= 0.00000E+00, A4=-7.69541E-04, A6= 7.69065E-05, A8=-1.40933E-05
A10= 9.19495E-07, A12=-1.81967E-08, A14=-1.78801E-09, A16= 7.53515E-11 
第21面
K= 0.00000E+00, A4=-7.47072E-04, A6= 4.18687E-05, A8=-9.53545E-06
A10= 6.77844E-07, A12=-2.96255E-08, A14= 8.03400E-11, A16= 2.04568E-11
【０１１５】
表  ９（各種データ）
ズーム比    11.02588
広角      中間      望遠
焦点距離       4.2986   13.8551   47.3961
Ｆナンバー     3.28208   4.24530   5.13352
画角        42.0251   14.6001    4.2709
像高         3.4000    3.6000    3.6000
レンズ全長     43.1677   45.8742   54.8407
ＢＦ        0.87410   0.86181   0.87475
d6           0.3050    8.8771   18.0441 
d12         15.5017    5.0021    1.2400 
d19          3.8901    3.6860   12.7948 
d21          3.6538    8.5042    2.9441 
入射瞳位置     11.7092   31.8814  101.3999
射出瞳位置    -15.4282  -19.8509  -59.3792
前側主点位置   14.8744   36.4685  111.5140
後側主点位置   38.8691   32.0191    7.4446
単レンズデータ
レンズ     始面     焦点距離
1         1      -69.3377
2         3       46.7831
3         5       38.4775
4         7       -6.7066
5         9      -10.8530
6        11       13.3538
7        14        6.3728
8        16       -6.5687
9        18       18.4881
10        20       22.5016
ズームレンズ群データ
群   始面    焦点距離  レンズ構成長    前側主点位置  後側主点位置
1      1    31.49909     5.93900         1.00554       3.20336
2      7    -5.98151     5.53600         0.36288       1.39105
3     13    10.16322     5.11100        -2.32440       0.11796
4     20    22.50158     1.57700         0.06799       0.60342
ズームレンズ群倍率
群   始面    広角       中間       望遠
1      1    0.00000    0.00000    0.00000
2      7   -0.27048   -0.44170   -1.36721
3     13   -0.68864   -1.92377   -1.44020
4     20    0.73265    0.51764    0.76416
【０１１６】
（数値実施例４）
数値実施例４のズームレンズ系は、図９に示した実施の形態４に対応する。数値実施例４のズームレンズ系の面データを表１０に、非球面データを表１１に、各種データを表１２に示す。
【０１１７】
表  １０（面データ）
面番号         r           d           nd         vd
物面             ∞
1         30.82100     0.75000     1.84666    23.8 
2         19.80200     0.01000     1.56732    42.8 
3         19.80200     2.84100     1.49700    81.6 
4        132.37900     0.15000 
5         19.70800     2.19000     1.72916    54.7 
6         63.77100        可変
7         46.49600     0.40000     1.88300    40.8 
8          5.15900     2.99000 
9        -26.75700     0.40000     1.78590    43.9 
10         13.20600     0.40800 
11         10.12700     1.34000     1.94595    18.0 
12         46.54600        可変
13(絞り)           ∞     0.30000
14*         4.69000     2.11400     1.51835    70.3 
15*       -14.23800     1.13000 
16          6.94600     0.91900     1.94595    18.0 
17          3.99000        可変
18*        11.88000     1.57700     1.51835    70.3 
19*      -613.12200        可変
20               ∞     0.78000     1.51680    64.2
21               ∞        (BF)
像面             ∞
【０１１８】
表  １１（非球面データ）
第14面
K= 0.00000E+00, A4=-6.98798E-04, A6=-3.07231E-05, A8= 4.14892E-05
A10=-7.19360E-06, A12= 8.33698E-08, A14= 1.67474E-07, A16=-1.49651E-08 
第15面
K= 0.00000E+00, A4= 1.02954E-03, A6= 2.16803E-04, A8=-3.21361E-05
A10= 3.94649E-06, A12= 2.58926E-07, A14=-6.31197E-09, A16=-3.45461E-09 
第18面
K= 0.00000E+00, A4=-2.31301E-04, A6=-3.30169E-05, A8=-5.02139E-06
A10= 7.52561E-07, A12=-5.25403E-08, A14= 2.01872E-09, A16=-4.40237E-11 
第19面
K= 0.00000E+00, A4=-5.07083E-04, A6= 2.66686E-05, A8=-1.42819E-05
A10= 1.13449E-06, A12=-2.14192E-08, A14=-1.36032E-09, A16= 4.60748E-11
【０１１９】
表  １２（各種データ）
ズーム比    11.02420
広角      中間      望遠
焦点距離       4.2999   13.8718   47.4034
Ｆナンバー     3.31040   4.20958   4.99163
画角        41.5250   14.5528    4.2738
像高         3.3500    3.6000    3.6000
レンズ全長     43.3831   45.7414   54.4466
ＢＦ        0.87136   0.88634   0.87037
d6           0.3050    9.1454   18.3495 
d12         15.6017    5.0041    1.2400 
d17          4.8012    3.7877   12.7923 
d19          3.5048    8.6189    2.8954 
入射瞳位置     11.6412   32.7101  105.6893
射出瞳位置    -15.5987  -18.6607  -51.0614
前側主点位置   14.8185   36.7376  109.8228
後側主点位置   39.0831   31.8696    7.0432
単レンズデータ
レンズ     始面     焦点距離
1         1      -67.5261
2         3       46.4623
3         5       38.3143
4         7       -6.6017
5         9      -11.2015
6        11       13.4422
7        14        7.0758
8        16      -11.6760
9        18       22.5026
ズームレンズ群データ
群   始面    焦点距離  レンズ構成長    前側主点位置  後側主点位置
1      1    31.49935     5.94100         1.07105       3.27435
2      7    -5.98100     5.53800         0.35015       1.35673
3     13    10.16664     4.46300        -2.41163       0.14756
4     18    22.50262     1.57700         0.01976       0.55724
ズームレンズ群倍率
群   始面    広角       中間       望遠
1      1    0.00000    0.00000    0.00000
2      7   -0.26946   -0.44781   -1.44049
3     13   -0.68706   -1.93046   -1.36656
4     18    0.73736    0.50942    0.76448
【０１２０】
（数値実施例５）
数値実施例５のズームレンズ系は、図１１に示した実施の形態５に対応する。数値実施例５のズームレンズ系の面データを表１３に、非球面データを表１４に、各種データを表１５に示す。
【０１２１】
表  １３（面データ）
面番号         r           d           nd         vd
物面             ∞
1         29.29600     0.75000     1.84666    23.8 
2         19.18900     0.01000     1.56732    42.8 
3         19.18900     2.85700     1.49700    81.6 
4        108.03300     0.15000 
5         20.45300     2.17600     1.72916    54.7 
6         72.91900        可変
7         51.45000     0.40000     1.88300    40.8 
8          5.22500     2.88000 
9        -33.13900     0.40000     1.78590    43.9 
10         11.81100     0.46700 
11          9.75900     1.38900     1.94595    18.0 
12         40.80000        可変
13(絞り)           ∞     0.30000
14*         4.91700     1.83400     1.60602    57.4 
15        -12.30000     0.01000     1.56732    42.8 
16        -12.30000     0.74400     1.84666    23.8 
17        -20.45800     1.34000 
18*        10.29900     0.80300     1.99540    20.7 
19          5.31600        可変
20*        11.88800     1.57700     1.51835    70.3 
21*      -586.41400        可変
22               ∞     0.78000     1.51680    64.2
23               ∞        (BF)
像面             ∞
【０１２２】
表  １４（非球面データ）
第14面
K= 0.00000E+00, A4=-4.87214E-04, A6=-3.67232E-05, A8= 1.22587E-05
A10=-2.94245E-06, A12= 3.29255E-07, A14=-9.71641E-09, A16=-7.68082E-10 
第18面
K= 0.00000E+00, A4=-1.16235E-03, A6=-7.02341E-05, A8= 8.26548E-07
A10=-1.03094E-06, A12= 2.73287E-07, A14=-5.65024E-08, A16= 5.26646E-09 
第20面
K= 0.00000E+00, A4=-5.35774E-04, A6= 3.02823E-05, A8=-9.38385E-06
A10= 5.44017E-07, A12= 4.39358E-09, A14=-1.41360E-09, A16= 2.98041E-11 
第21面
K= 0.00000E+00, A4=-6.64748E-04, A6= 3.66417E-05, A8=-1.31889E-05
A10= 1.02733E-06, A12=-2.21503E-08, A14=-8.57851E-10, A16= 3.13948E-11
【０１２３】
表  １５（各種データ）
ズーム比    11.03744
広角      中間      望遠
焦点距離       4.2998   13.8577   47.4583
Ｆナンバー     3.26307   4.22605   5.06442
画角        42.8635   14.5180    4.2583
像高         3.5000    3.6000    3.6000
レンズ全長     43.1100   46.0464   54.9041
ＢＦ        0.87367   0.86814   0.86731
d6           0.3050    9.0407   18.2431 
d12         15.2547    5.0015    1.2400 
d19          3.9267    3.7030   12.8393 
d21          3.8829    8.5661    2.8474 
入射瞳位置     11.6152   32.2976  103.7219
射出瞳位置    -14.7562  -18.9976  -54.3396
前側主点位置   14.7321   36.4886  110.3829
後側主点位置   38.8102   32.1888    7.4458
単レンズデータ
レンズ     始面     焦点距離
1         1      -68.0081
2         3       46.4531
3         5       38.3148
4         7       -6.6130
5         9      -11.0366
6        11       13.2714
7        14        6.0392
8        16      -38.0210
9        18      -12.0029
10        20       22.4989
ズームレンズ群データ
群   始面    焦点距離  レンズ構成長    前側主点位置  後側主点位置
1      1    31.50001     5.94300         1.06957       3.26401
2      7    -5.99110     5.53600         0.33757       1.36227
3     13    10.15425     5.03100        -2.41145       0.42952
4     20    22.49886     1.57700         0.02066       0.55809
ズームレンズ群倍率
群   始面    広角       中間       望遠
1      1    0.00000    0.00000    0.00000
2      7   -0.27002   -0.44538   -1.40992
3     13   -0.70167   -1.92719   -1.39365
4     20    0.72044    0.51254    0.76675
【０１２４】
（数値実施例６）
数値実施例６のズームレンズ系は、図１４に示した実施の形態６に対応する。数値実施例６のズームレンズ系の面データを表１６に、非球面データを表１７に、各種データを表１８に示す。
【０１２５】
表  １６（面データ）
面番号         r           d           nd         vd
物面             ∞
1         31.60900     0.75700     1.92286    20.9 
2         22.12900     0.01000     1.56732    42.8 
3         22.12900     2.85800     1.49700    81.6 
4        221.46700     0.14400 
5         19.82900     2.17900     1.72916    54.7 
6         56.23800        可変
7         44.93500     0.40100     1.88300    40.8 
8          5.19000     2.94100 
9        -28.98600     0.39900     1.78590    43.9 
10         12.33500     0.47500 
11         10.20700     1.34300     1.94595    18.0 
12         47.99500        可変
13(絞り)           ∞     0.30000
14          4.30200     1.77300     1.49700    81.6 
15       6803.89600     1.15900 
16*         8.43500     1.39700     1.80359    40.8 
17         49.88900     0.01000     1.56732    42.8 
18         49.88900     0.39800     1.84666    23.8 
19          5.29900        可変
20*        11.72100     1.58000     1.51835    70.3 
21*     -1629.06500        可変
22               ∞     0.78000     1.51680    64.2
23               ∞        (BF)
像面             ∞
【０１２６】
表  １７（非球面データ）
第16面
K=-1.26014E-01, A4=-1.78233E-03, A6=-2.10674E-04, A8= 6.69814E-05
A10=-2.74048E-05, A12= 5.39168E-06, A14=-5.55222E-07, A16= 2.30211E-08 
第20面
K= 0.00000E+00, A4=-7.75064E-04, A6= 6.14125E-05, A8=-8.73167E-06
A10= 2.05005E-07, A12= 1.29818E-08, A14=-4.93909E-10, A16= 6.87949E-13 
第21面
K= 0.00000E+00, A4=-9.03803E-04, A6= 7.96172E-05, A8=-1.34273E-05
A10= 7.25544E-07, A12=-1.80856E-08, A14= 3.95732E-10, A16=-6.69981E-12 
【０１２７】
表  １８（各種データ）
ズーム比    11.02287
広角      中間      望遠
焦点距離       4.3008   13.8156   47.4068
Ｆナンバー     3.26165   4.24209   5.08129
画角        42.5203   14.6148    4.2714
像高         3.5000    3.6000    3.6000
レンズ全長     43.1633   45.9912   54.9059
ＢＦ        0.88315   0.88011   0.86611
d6           0.3402    8.9311   18.1547 
d12         15.2947    5.0260    1.2415 
d19          3.8356    3.6957   12.7992 
d21          3.9057    8.5543    2.9404 
入射瞳位置     11.7233   32.1123  103.6880
射出瞳位置    -14.5669  -18.9414  -53.9620
前側主点位置   14.8268   36.2985  110.1048
後側主点位置   38.8626   32.1757    7.4991
単レンズデータ
レンズ     始面     焦点距離
1         1      -83.1380
2         3       49.2339
3         5       40.9708
4         7       -6.6768
5         9      -10.9635
6        11       13.4721
7        14        8.6607
8        16       12.4456
9        18       -7.0312
10        20       22.4580
ズームレンズ群データ
群   始面    焦点距離  レンズ構成長    前側主点位置  後側主点位置
1      1    31.49407     5.94800         0.97373       3.20547
2      7    -5.98650     5.55900         0.35026       1.33891
3     13    10.16527     5.03700        -2.46799       0.41145
4     20    22.45799     1.58000         0.00744       0.54649
ズームレンズ群倍率
群   始面    広角       中間       望遠
1      1    0.00000    0.00000    0.00000
2      7   -0.27119   -0.44398   -1.40526
3     13   -0.70146   -1.93358   -1.40649
4     20    0.71785    0.51099    0.76159
【０１２８】
以下の表１９に、各数値実施例のズームレンズ系における各条件の対応値を示す。
【０１２９】
表  １９（条件の対応値）
【表１】
2010160334.tif 000004
【産業上の利用可能性】
【０１３０】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【図面の簡単な説明】
【０１３１】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施の形態４（実施例４）に係るズームレンズ系の無限遠合焦状態を示すレンズ配置図
【図１０】実施例４に係るズームレンズ系の無限遠合焦状態の縦収差図
【図１１】実施の形態５（実施例５）に係るズームレンズ系の無限遠合焦状態を示すレンズ配置図
【図１２】実施例５に係るズームレンズ系の無限遠合焦状態の縦収差図
【図１３】実施例５に係るズームレンズ系の望遠端における、像ぶれ補正を行っていない基本状態及び像ぶれ補正状態での横収差図
【図１４】実施の形態６（実施例６）に係るズームレンズ系の無限遠合焦状態を示すレンズ配置図
【図１５】実施例６に係るズームレンズ系の無限遠合焦状態の縦収差図
【図１６】実施例６に係るズームレンズ系の望遠端における、像ぶれ補正を行っていない基本状態及び像ぶれ補正状態での横収差図
【図１７】実施の形態７に係るデジタルスチルカメラの概略構成図
【符号の説明】
【０１３２】
Ｇ１    第１レンズ群
Ｇ２    第２レンズ群
Ｇ３    第３レンズ群
Ｇ４    第４レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ａ      開口絞り
Ｐ      平行平板
Ｓ      像面
１      ズームレンズ系
２      撮像素子
３      液晶モニタ
４      筐体
５      主鏡筒
６      移動鏡筒
７      円筒カム
【図１】
2010160334.tif 000005
【図２】
2010160334.tif 000006
【図３】
2010160334.tif 000007
【図４】
2010160334.tif 000008
【図５】
2010160334.tif 000009
【図６】
2010160334.tif 000010
【図７】
2010160334.tif 000011
【図８】
2010160334.tif 000012
【図９】
2010160334.tif 000013
【図１０】
2010160334.tif 000014
【図１１】
2010160334.tif 000015
【図１２】
2010160334.tif 000016
【図１３】
2010160334.tif 000017
【図１４】
2010160334.tif 000018
【図１５】
2010160334.tif 000019
【図１６】
2010160334.tif 000020
【図１７】
2010160334.tif 000021